(57)【要約】【課題】設置場所にかかわらず１つの表層ブロック用型枠によって方位、ランドマークを成型することができる表層ブロック用型枠を提供する。【解決手段】方位を示す印を成型するための孔が形成された第１型枠２と、ランドマークを示す印を成型するための孔が形成され、第１型枠２に嵌る第２型枠３とを備え、第２型枠３は第１型枠１に対して、ランドマークを示す印の向きを変更可能となるように設けられる。【選択図】図１
2014031638.tif 000002
【特許請求の範囲】
【請求項１】
方位を示す印を成型するための孔が形成された第１型枠と、
ランドマークを示す印を成型するための孔が形成され、前記第１型枠に嵌る第２型枠とを備え、
前記第２型枠は前記第１型枠に対して前記ランドマークを示す印の向きを変更可能となるように設けられることを特徴とする表層ブロック用型枠。
【請求項２】
請求項１に記載の表層ブロック用型枠であって、
少なくとも前記第１型枠、前記第２型枠のいずれかには、前記ランドマークに関する情報を変換した二次元コードを成型するための孔が形成されることを特徴とする表層ブロック用型枠。
【発明の詳細な説明】
【技術分野】
【０００１】
本発明は表層ブロック用型枠に関するものである。
【背景技術】
【０００２】
従来、歩道などに表層ブロックを施工する場合に、型枠材を載置し、型枠材に表層材を流し込み、表層材が硬化した後に型枠材を取り除き、表層ブロックを完成させるものが特許文献１に開示されている。
【先行技術文献】
【特許文献】
【０００３】
【特許文献１】特開２００３−１６６２１８号公報
【発明の概要】
【発明が解決しようとする課題】
【０００４】
このような型枠材を用いて、ランドマークをかたどった表層ブロックを成型することができる。また、ランドマークをかたどった表層ブロックを成型する場合に、表層ブロックに方位を入れることで、ランドマークの位置を歩行者などに正確に示すことができる。
【０００５】
しかし、表層ブロックの設置場所によってランドマークの位置は変わるので、設置場所に応じた型枠材を作成する必要があり、コストがかかるといった問題点がある。
【０００６】
本発明はこのような問題点を解決するために発明されたもので、１つの型枠材によってさまざまな場所にランドマーク、および方位を示した表層ブロックを成型可能とすることを目的とする。
【課題を解決するための手段】
【０００７】
本発明のある態様に係る表層ブロック用型枠は、方位を示す印を成型するための孔が形成された第１型枠と、ランドマークを示す印を成型するための孔が形成され、第１型枠に嵌る第２型枠とを備え、第２型枠は第１型枠に対してランドマークを示す印の向きを変更可能となるように設けられる。
【発明の効果】
【０００８】
これら態様によると、設置場所にかかわらず、１つの表層ブロック用型枠を用いて、ランドマーク、および方位を示す表層ブロックを成型することができ、コストを削減することができる。
【図面の簡単な説明】
【０００９】
【図１】本実施形態の表層ブロック用型枠の概略図である。
【図２】表層ブロック用型枠の設置方法を説明する図である。
【発明を実施するための形態】
【００１０】
本発明の実施形態について図１を用いて説明する。図１は本実施形態の表層ブロックを成型する表層ブロック用型枠の概略図である。以下においては、山をランドマークとした場合について説明するが、ランドマークは山以外の自然物、建築物などであってもよい。
【００１１】
表層ブロック用型枠１は、第１型枠２と、第２型枠３とを備える。
【００１２】
第１型枠２は、円環状の薄板部材であり、方位を示す印であるアルファベットに沿って切り込みが入った方位型部４を備える。方位型部４を第１型枠２から取り除くと、アルファベットの表層ブロックを成型するための孔が形成される。
【００１３】
第２型枠３は、円形の薄板部材であり、第１型枠２と同軸となるように設けられる。第２型枠３の外径は、第１型枠２の内径と略等しく、第２型枠３は、第１型枠２の内周側で第１型枠２に嵌っている。第２型枠３は、ランドマークを示す印に沿って切り込みが入ったランドマーク型部５と、ランドマークの情報、ランドマークまでの行き方の情報などを二次元化したＱＲコード（登録商標）に沿って切り込みが入ったＱＲコード型部６とを備える。ランドマーク型部５、およびＱＲコード型部６を第２型枠３から取り除くと、ランドマークを示す印の表層ブロックを成型するための孔と、ＱＲコードの表層ブロックを成型するための孔とが形成される。
【００１４】
第１型枠２と第２型枠３とは一体的に設けられ、第２型枠３は、第１型枠２に対して脱着可能である。第１型枠２は円環状であり、第２型枠３は円形状であるので、第２型枠３は第１型枠２に対してランドマークを示す印の向きを自在に変更可能となっている。なお、第１型枠２と第２型枠３とは一枚の部材から形成されてもよく、また別部材から形成されてもよい。
【００１５】
第１型枠２、および第２型枠３の裏面には粘着テープが粘着加工されており、さらにその上から剥離紙が貼られている。表層ブロックを成型する場合には、剥離紙を取り除き、第１型枠２、および第２型枠３を設置場所に一時的に貼り付けて、表層ブロックを成型する。
【００１６】
本実施形態の表層ブロック用型枠を用いて表層ブロックを成型する方法について説明する。
【００１７】
まず、表層ブロックの設置場所における方位を調べ、第１型枠２のアルファベットが正しい方位を示すように第１型枠２を設置する。このとき、方位型部４を第１型枠２から取り除いて、孔を形成して第１型枠２を設置する。
【００１８】
そして、表層ブロックの設置場所においてランドマークとなる山の位置がわかるようにランドマークを示す印の向きを合わせて第２型枠３を設置する。具体的には、第２型枠３は、図２に示すように第２型枠３の山の頂上の延長線上にランドマークとなる山が位置するように設置される。表層ブロックを山の南側に設置する場合には、第２型枠３の山の頂上が北側を向くように第２型枠３は設置される。また、表層ブロックを山の西側に設置する場合には、第２型枠３の山の頂上が東側を向くように第２型枠３は設置される。このとき、第１型枠２と同様に、ランドマーク型部５、ＱＲコード型部６を第２型枠３から取り除いて、孔を形成して第２型枠３を設置する。なお、ランドマーク型部５の一部を第２型枠３に残したまま設置する。
【００１９】
次に第１型枠２、第２型枠３に形成した孔に、アクリル樹脂をバインダーとした色付きの砂を充填して固める。その後、第２型枠３に残ったランドマーク型部５を第２型枠３から取り除いて孔を形成し、形成した孔にアクリル樹脂をバインダーとして色付きの砂を充填して固める。
【００２０】
その後、残りの第１型枠２、および第２型枠３を剥がすと、ランドマーク、方位を示すアルファベット、およびＱＲコードの表層ブロックが完成する。
【００２１】
このように、表層ブロックを設置する場所に応じてランドマークを示す印の向きを自在に変更して設置することで、１つの表層ブロック用型枠を用いて、ランドマーク、方位を示すアルファベット、およびＱＲコードの表層ブロックを設置することができ、コストを削減することができる。
【００２２】
地下や高い建物に囲まれた場所では、ランドマークを目視することができない場合があるが、本実施形態の表層ブロックを設置することで、ランドマークの位置を正確に確認することができる。
【００２３】
また、表層ブロックにＱＲコードを設けることで、ランドマークの情報を容易に取得することができる。
【００２４】
以上、本発明の実施形態について説明したが、上記実施形態は本発明の適用例の一部を示したに過ぎず、本発明の技術的範囲を上記実施形態の具体的構成に限定する趣旨ではない。
【００２５】
本実施形態では、方位を示す印を成型するための孔が形成された第１型枠２の内周側に、ランドマークを示す印を成型するための孔が形成された第２型枠３を設けたが、第１型枠２の外周側に第２型枠３を設けてもよい。例えば、方位を示すアルファベットを成型するための孔を円形状の型枠に設け、ランドマークを示す印を成型するための孔を円環状の型枠に設けてもよい。
【００２６】
また、本実施形態では、ＱＲコード型部６を第２型枠３に設けたが、第１型枠２に設けてもよい。
【００２７】
表層ブロックを構成する部材は色付きの砂に限られず、またバインダーはアクリル樹脂に限られず、表層ブロックを成型可能であればよい。
【００２８】
本実施形態では、第１型枠を円環状にし、第２型枠を円形状にしたが、これに限られることはなく、ランドマークを示す印を成型する型枠が方位を示す印を成型する型枠に対してランドマークの向きを変更できればよい。
【符号の説明】
【００２９】
１      表層ブロック用型枠
２      第１型枠
３      第２型枠
【図１】
2014031638.tif 000003
【図２】
2014031638.tif 000004